(57)【要約】  【課題】    従来の突入電流防止回路においては、電源と負荷回路とを結ぶ回路上にスイッチやＦＥＴなどが直列に配置されていた。前記スイッチやＦＥＴは、電源オン時にオン抵抗を生じる。前記オン抵抗は、回路全体に電圧降下を生じる。前記電圧降下は回路全体における消費電力に悪影響を生じる。  【解決手段】  本件発明にかかる突入電流抑制電子機器においては、突入電流抑制コンデンサを、電源と負荷回路とを結ぶ回路に対し並列に配置することで、前記課題に掲げたような問題を回避する。【選択図】            図８
2009195037.tif 000002
【特許請求の範囲】
【請求項１】
電源制御回路と、
電圧安定化用コンデンサと、
前記電圧安定化用コンデンサを備えた負荷回路と、
電源制御回路からの投入信号を遅延回路を介して受け取り負荷回路へ電源を供給するＤＣ−ＤＣコンバータと、
前記電圧安定化用コンデンサに放電を行うためにあらかじめ所定の電荷を蓄える突入電流抑制コンデンサと、
電源制御回路からの投入信号を受けて突入電流抑制コンデンサの電荷を前記電圧安定化用コンデンサに供給するための供給スイッチと、
からなる突入電流抑制電子機器。
【請求項２】
遅延回路はＲＣ回路であり、ＤＣ−ＤＣコンバータは、ＲＣ回路を介して受け取る電源制御回路からの信号が所定の閾値を超えた場合にこれを投入信号として利用する閾値判別回路を有する請求項１に記載の突入電流抑制電子機器。
【請求項３】
突入電流抑制コンデンサと、突入電流抑制コンデンサに電流を供給する電源との間には抑制電源供給スイッチが配置され、
電源制御回路は、供給スイッチがＯＮとなる際には抑制電源供給スイッチをＯＦＦとするように制御する請求項１または２に記載の突入電流抑制電子機器。
【請求項４】
電源制御回路と、
電圧安定化用コンデンサと、
前記電圧安定化用コンデンサを備えた負荷回路と、
電源制御回路からの投入信号を遅延回路を介して受け取り負荷回路へ電源を供給するＤＣ−ＤＣコンバータと、
前記電圧安定化用コンデンサに放電を行うためにあらかじめ所定の電荷を蓄える突入電流抑制コンデンサと、
電源制御回路からの投入信号を受けて突入電流抑制コンデンサの電荷を前記電圧安定化用コンデンサに供給するための供給スイッチと、
突入電流抑制コンデンサと、突入電流抑制コンデンサに電流を供給する電源との間に配置される抑制電源供給スイッチと、からなり、
電源制御回路は、
抑制電源供給スイッチをＯＮとする抑制電源供給ステップと、
ユーザからの電源投入命令を受け付ける命令受付ステップと、
電源投入命令に応じ抑制電源供給スイッチをＯＦＦとする抑制電源供給停止ステップと、
電源投入命令に応じ投入信号をＤＣ−ＤＣコンバータに出力する投入信号出力ステップと、
投入信号に応じ供給スイッチをＯＮにする供給ステップと、
を実行するよう制御をおこなう突入電流抑制電子機器の動作方法。
【発明の詳細な説明】
【技術分野】
【０００１】
本発明は、電子回路上において、電源投入時の突入電流を抑制する回路に関するものである。
【背景技術】
【０００２】
通常、負荷回路と呼ばれるものには、自身にかかる電圧を安定化するために電圧安定化用コンデンサが設けられている。前記電圧安定化用コンデンサは、比較的大きい電気容量を有している。よって、前記負荷回路に対する電源投入時に、前記電圧安定化用コンデンサには、前記負荷回路の電源側からの大きな電流、すなわち突入電流が流れる。前記突入電流は、前記電源側の電圧変動の原因となる。前記電圧変動により、前記負荷回路の誤作動や、回路内の部品の劣化が生じる。特に携帯機器においては、突入電流がバッテリーに与える影響が大きい為、突入電流がバッテリーの早期劣化を引きおこす。
【０００３】
特許文献１に係る発明は、既存の突入電流防止回路に係る発明である。図１１は、特許文献１に係る突入電流防止回路を示す図である。図１１において、充放電制御回路（１１０１）は、電源接続時にスイッチング素子（１１０２）をオフし、電流供給回路（１１０３）からの電流によりコンデンサ（１１０４）を充電させると共に、電源切断時にスイッチング素子（１１０２）をオンし、コンデンサ（１１０４）の充電電荷を瞬時に放電させる。これにより、電源投入時には、ＦＥＴ（１１０５）のドレイン・ソース間の抵抗値が∞からオン抵抗値まで変化し、電源投入時における突入電流を抑圧する。一方、電源切断時にはスイッチング素子（１１０２）を介してコンデンサ（１１０４）の充電電荷を瞬時に放出し、ＦＥＴ（１１０５）を瞬時にリセットする。このように電源切断時にＦＥＴ（１１０５）は瞬時にリセットされるから、電源オフ後に直ちに電源オンとなっても突入電流を抑圧することができる。
【０００４】
また、特許文献２に係る発明も、既存の突入電流防止回路に係る発明である。図１２は、特許文献２に係る突入電流防止回路を示す図である。図１２において、交流電源（１２０１）からの入力交流を全波整流とする整流ブリッジ（１２０２）と出力平滑用のコンデンサ（１２０３）との間の電源ラインにスイッチ１（１２０４）とスイッチ２（１２０５）を直列に介装し、スイッチ１（１２０４）とスイッチ２（１２０５）の間に電流制限用の抵抗（１２０６）と補助充電用のコンデンサ（１２０７）の直列回路を平滑用のコンデンサ（１２０３）と並列に接続する。そして、電源投入時には制御部（１２０８）によりスイッチ１（１２０４）とスイッチ２（１２０５）のオン、オフを所定のタイミングで制御し、コンデンサ（１２０７）の充放電を数回に分けて行い、平滑用のコンデンサ（１２０３）を徐々に充電する。
【特許文献１】特開  平９−６４４０号
【特許文献２】特開  平７−２１２９６９号
【発明の開示】
【発明が解決しようとする課題】
【０００５】
しかし、特許文献１にかかる突入電流防止回路においては、電源オン時に、電源と負荷回路とを結ぶ回路上に直列に配置されているＦＥＴ（１１０５）がオン抵抗を生じるため、電圧降下が生じてしまう。したがって、前記電源オン時に回路全体における消費電力に影響が出る。
【０００６】
また、特許文献２にかかる突入電流防止回路においては、電源と負荷回路とを結ぶ回路上に直列に配置されているスイッチ１（１２０４）およびスイッチ２（１２０５）が内部抵抗を生じるため、電源オン時に電圧降下が生じてしまう。したがって、前記電源オン時に、回路全体の消費電力に影響が出る。
【課題を解決するための手段】
【０００７】
そこで、第一の発明として、電源制御回路と、電圧安定化用コンデンサと、前記電圧安定化用コンデンサを備えた負荷回路と、電源制御回路からの投入信号を遅延回路を介して受け取り負荷回路へ電源を供給するＤＣ−ＤＣコンバータと、前記電圧安定化用コンデンサに放電を行うためにあらかじめ所定の電荷を蓄える突入電流抑制コンデンサと、電源制御回路からの投入信号を受けて突入電流抑制コンデンサの電荷を前記電圧安定化用コンデンサに供給するための供給スイッチと、からなる突入電流抑制電子機器を提供する。
【０００８】
また、第二の発明として、遅延回路はＲＣ回路であり、ＤＣ−ＤＣコンバータは、ＲＣ回路を介して受け取る電源制御回路からの信号が所定の閾値を超えた場合にこれを投入信号として利用する閾値判別回路を有する第一の発明に記載の突入電流抑制電子機器を提供する。
【０００９】
また、第三の発明として、突入電流抑制コンデンサと、突入電流抑制コンデンサに電流を供給する電源との間には抑制電源供給スイッチが配置され、電源制御回路は、供給スイッチがＯＮとなる際には抑制電源供給スイッチをＯＦＦとするように制御する第一または第二の発明に記載の突入電流抑制電子機器を提供する。
【００１０】
また、第四の発明として、第三の発明にかかる突入電流抑制電子機器の動作方法を提供する。
【発明の効果】
【００１１】
本件発明の突入電流抑制電子機器における突入電流抑制コンデンサは、電源ライン上に対し並列に付加されている。したがって、前記突入電流抑制コンデンサを含む回路は電源本来の効率に影響を及ぼさない。また、本件発明は、簡易な回路構造による突入電流の抑制を可能とする。
【発明を実施するための最良の形態】
【００１２】
以下に、本発明の実施の形態を説明する。なお、本発明はこれら実施の形態に何ら限定されるものではなく、その要旨を逸脱しない範囲において、種々なる様態で実施しうる。なお、以下の実施形態と請求項の関係は次の通りである。
実施形態１は、主に請求項１について説明する。
実施形態２は、主に請求項２について説明する。
実施形態３は、主に請求項３、および、４について説明する。
<<実施形態１>>
<実施形態１の概要>
【００１３】
本実施形態は、電源と負荷回路とを結ぶ回路に対し並列に突入電流抑制コンデンサを配置した突入電流抑制電子機器に関する。
<実施形態１の機能的構成>
【００１４】
図１は、本実施形態にかかる突入電流抑制電子機器の構成の一例を示すものである。図１に示すように、本実施形態にかかる突入電流抑制電子機器は、主に電源制御回路（０１０１）と、電圧安定化用コンデンサＣＬ（０１０２）と、負荷回路（０１０３）と、ＤＣ−ＤＣコンバータ（０１０４）と、突入電流抑制コンデンサＣｃ（０１０５）と、供給スイッチＳ２（０１０６）と、遅延回路（０１０９）と、からなる。また、図１に示す突入電流抑制電子機器はさらに、バッテリーＢ（０１０７）と、手動スイッチ（０１０８）と、バッテリーＡ（０１１０）と、供給スイッチＳ２制御スイッチＳＷ２Ｃ（０１１１）を有する。
【００１５】
（電源制御回路についての説明）電源制御回路（０１０１）は、ＤＣ−ＤＣコンバータ（０１０４）の負荷回路（０１０３）への電源供給のタイミングを制御する投入信号と、供給スイッチＳ２制御スイッチＳＷ２Ｃ（０１１１）のオン・オフを制御する投入信号であるＳＷ２Ｃ制御信号を生成する。また、電源制御回路（０１０１）は、ユーザからの入力などを受け付け、前記二つの信号は、前記入力に基づき出力するような機構になっている。
【００１６】
（電圧安定化用コンデンサについての説明）電圧安定化用コンデンサＣＬ（０１０２）は、負荷回路に電源が供給された際の負荷回路の電圧を安定させるために、自身に蓄えられた電荷を負荷回路に供給する。
【００１７】
（負荷回路についての説明）負荷回路（０１０３）とは、ＤＣ−ＤＣコンバータ（０１０４）からの電源の供給を受け、前記電源をエネルギーとして動作するものである。負荷回路の例として、たとえば、電子回路やモータ駆動回路、照明駆動回路などがあげられる。
【００１８】
（ＤＣ−ＤＣコンバータについての説明）ＤＣ−ＤＣコンバータ（０１０４）は、電源制御回路からの投入信号を遅延回路を介して受け取り負荷回路へ電源を供給する。ここで、遅延回路とは、自身に入力された電気信号をすぐに出力せず、ある一定時間遅らせて出力する回路のことであり、本実施形態においては、前記ＳＷ２Ｃがオン状態になるタイミングに対し、前記ＤＣ−ＤＣコンバータが負荷回路へ放電を開始するタイミングを遅延させる役割を果たす。電源制御装置からは、ＳＷ２Ｃ制御信号および投入信号は、ともに同じタイミングで出力されるが、前記ＳＷ２Ｃのオン動作に対して前記ＤＣ−ＤＣコンバータの負荷回路への放電は後に行われる。前記遅延回路については、一例として、ＲＣ回路を用いるのが好ましい。また、ＤＣ−ＤＣコンバータ（０１０４）に対する電源の供給は、図１に例示するように、バッテリーＡ（０１１０）が行うのが好ましいが、前記バッテリーのほかに、その他各種電源が利用可能である。また、ＤＣ−ＤＣコンバータ（０１０４）が負荷回路（０１０３）へ電源を供給するタイミングについては、前記ＣＬ（０１０２）に十分な電荷が蓄積された後であれば、いつでもかまわない。たとえば、前記ＣＬ（０１０２）に十分な電荷が蓄積された後であり、かつ、ＤＣ−ＤＣコンバータ（０１０４）に到達した投入信号が定常状態を迎えた時に、負荷回路（０１０３）への電源の供給を開始するよう、ＤＣ−ＤＣコンバータ（０１０４）を構成してもかまわない。また、前記ＣＬ（０１０２）が所定の電圧に達したところで、前記ＤＣ−ＤＣコンバータ（０１０４）が放電を行うよう、電源制御装置が制御を行う構成をとってもよい。
【００１９】
（突入電流抑制コンデンサについての説明）突入電流抑制コンデンサＣｃ（０１０５）は、電圧安定化用コンデンサＣＬ（０１０２）に放電を行うためにあらかじめ所定の電荷を蓄える。図１において、突入電流抑制コンデンサＣｃの電荷量の制御は、手動スイッチ（０１０８）のオン・オフを切り替えてバッテリーＢ（０１０７）からの電源の供給を調節することで行う。なお、前記Ｃｃの静電容量は、前記ＣＬの２〜３倍程度が好ましい。仮に前記Ｃｃと前記ＣＬの静電容量が同じである、もしくは、前記Ｃｃよりも前記ＣＬの方が静電容量が大きいとすると、前記ＣＬに十分な電荷が貯まらないからである。
【００２０】
（供給スイッチについての説明）供給スイッチＳ２（０１０６）は、電源制御回路からの投入信号を受けて突入電流抑制コンデンサＣｃの電荷を前記電圧安定化用コンデンサＣＬに供給するためのものである。前記Ｓ２（０１０６）のオン・オフの切り替えは、供給スイッチＳＷ２制御スイッチＳＷ２Ｃ（０１１１）のオン・オフの動作に連動している。図１に示すように、電源制御回路がＳＷ２Ｃ制御信号を出力することで前記ＳＷ２Ｃ（０１１１）のゲートに電圧をかけると、前記ＳＷ２Ｃには、前記Ｓ２から接地電極側へと電流が流れる。前記電流により、分岐点Ａ（０１１２）と分岐点Ｂ（０１１３）との間には、分岐点Ａ側を高電位側とした電位差が生じる。前記電位差の発生により、前記Ｓ２（０１０６）のゲートに電圧がかかり、前記Ｓ２（０１０６）には、前記Ｃｃ（０１０５）から前記負荷回路（０１０３）側に向かって電流が流れる。すなわち、前記Ｓ２がオン状態になる。このようにして、前記Ｓ２は、前記ＳＷ２Ｃ制御信号に従ってオン・オフの動作を行う。
【００２１】
なお、図１に示す突入電流抑制電子機器の構成はあくまで一例である。本実施形態に係る突入電流抑制電子機器については、主要な構成要件である電源制御回路（０１０１）と、電圧安定化用コンデンサＣＬ（０１０２）と、負荷回路（０１０３）と、ＤＣ−ＤＣコンバータ（０１０４）と、突入電流抑制コンデンサＣｃ（０１０５）と、供給スイッチＳ２（０１０６）と、遅延回路（０１０９）と、を除いて、自身の目的を達することのできる範囲であれば、いかなる構成をとってもかまわない。たとえば、突入電流抑制コンデンサＣｃ（０１０５）の電源供給源をバッテリーＡ（０１１０）にしてもよい（ただし、この場合、前記Ｓ２がオン状態になっている間、前記バッテリーＡから前記Ｃｃへ電流が流れない構成をとる必要がある）。また、突入電流抑制コンデンサＣｃ（０１０５）への電源供給のタイミングの制御を、別途電源制御回路により行ってもかまわない。
<実施形態１の具体的使用例>
【００２２】
図２は、本実施形態に係る突入電流抑制電子機器の具体的使用例の一つを示す図である。この例における突入電流抑制電子機器の構成は、基本的な点においては、図１に示した構成と同様である。ただし、本使用例に係る突入電流抑制電子機器は、ＤＣ−ＤＣコンバータ（０２０４）と負荷回路（０２０３）とを結ぶ回路上に直列にコイル（０２１４）とノイズ除去用コンデンサ（０２１５）を有する。また、供給スイッチＳ２（０２０６）と、分岐点Ｃ（０２１７）の間に、ツェナーダイオード（０２１６）をさらに有する。
【００２３】
前記コイル（０２１４）は、前記ＤＣ−ＤＣコンバータによる前記負荷回路への電圧印加の際の前記負荷回路の電圧変化を、急峻なものから緩やかなものへと変換する役割を果たす。前記ノイズ除去用コンデンサ（０２１５）は、前記ＤＣ−ＤＣコンバータによる前記負荷回路への電圧印加の際に発生するノイズを除去する役割を果たす。また、ツェナーダイオード（０２１６）は前記分岐点Ｃから前記Ｃｃ方向への逆流電流を食い止める役割を果たす。
【００２４】
ここで、図２に示す回路において、電源制御装置が生成する各信号に対し、各構成要件がどのような動作をどのような順序で行うかについて、図３を用いて例示する。まず、図３（ａ）に示すように時間ｔ１に、手動スイッチがオンになることで、バッテリーＢからＣｃに電源が供給される。次に図３（ｂ）に示すように、前記電源の供給を受け、時間ｔ１に、Ｃｃの電荷の蓄積がはじまり、Ｃｃには電荷が徐々に蓄積される。そして、前記Ｃｃに十分な電荷が蓄積された後である時間ｔ２に、前記手動スイッチがオフになることで、バッテリーＢからＣｃへの電源の供給が終了する。次に図３（ｃ）に示すように、時間ｔ３に、電源制御装置はＳＷ２Ｃ制御信号のＳＷ２Ｃへの出力を開始する。前記出力の開始により前記ＳＷ２Ｃがオン状態になる。次に図３（ｄ）に示すように、前記ＳＷ２Ｃがオン状態になることで、Ｓ２がオン状態になり、前記Ｃｃが放電を開始し、ＣＬの電荷の蓄積が始まる。そして、前記Ｃｃの電荷量の減少が止まり、前記ＣＬに十分な電荷が蓄積されたあとである時間ｔ４に、電源制御回路は前記供給スイッチ制御信号の出力を終了する。そして、前記供給スイッチ制御信号の出力と同時に、次に図３（ｅ）に示すように、電源制御装置は、遅延回路に対し投入信号の出力を開始する。そして、図３（ｆ）に示すように、前記投入信号の出力開始に基づき、遅延回路は、前記投入信号の急峻な挙動を緩やかなものに変換し、ＤＣ−ＤＣコンバータへと伝送する。次に図３（ｇ）に示すように、前記緩やかな信号が定常状態を迎えてから（時間ｔ５）、ＤＣ−ＤＣコンバータは負荷回路への放電を開始する。そして図３（ｈ）に示すように、前記放電の開始に伴い、前記負荷回路に電圧が印加される。
<実施形態１の効果>
【００２５】
本実施形態により、電源本来の効率に影響を及ぼさず、かつ、簡易な回路構造による突入電流抑制電子機器が実現する。
<<実施形態２>>
<実施形態２の機能的構成>
【００２６】
本実施形態にかかる突入電流抑制電子機器の構成の一例を図４に示す。本実施形態は、基本的には実施形態１と同様である。ただし、本実施形態に係る突入電流抑制電子機器においては、遅延回路がＲＣ回路（０４０１）からなり、また、ＤＣ−ＤＣコンバータ（０４０２）が閾値判別回路（０４０３）を有する点で、実施形態１に係る突入電流抑制電子機器と異なる。
【００２７】
前記閾値判別回路については、たとえばツェナーダイオードのように、一定以上の印加電圧をくわえることのみにより、自身に電流が流れるような素子から構成されるものを用いる。
<実施形態２の具体的使用例>
【００２８】
図５は、本実施形態に係る突入電流抑制電子機器の具体的使用例の一つを示す図である。この例における突入電流抑制電子機器の構成は、基本的な点においては、図４に示した構成と同様である。ただし、本使用例に係る突入電流抑制電子機器は、実施形態１における具体的使用例と同様に、ＤＣ−ＤＣコンバータ（０５０２）と負荷回路（０５０４）とを結ぶ回路上に直列にコイル（０５０５）とノイズ除去用コンデンサ（０５０６）を有する。また、供給スイッチＳ２（０５０７）と、分岐点Ｃ（０５０８）の間に、ツェナーダイオード（０５０９）をさらに有する。なお、前記コイル（０５０５）、前記ノイズ除去用コンデンサ（０５０６）、および、ツェナーダイオード（０５０９）は、実施形態１における具体的使用例に記載のものと同様の役割を果たす。
【００２９】
ここで、図５に示す回路において、電源制御装置が生成する各信号に対し、各構成要件がどのような動作をどのような順序で行うかについて、図６を用いて例示する。図５における回路において、電源制御装置が生成する各信号に対し、各構成要件がどのような動作をどのような順序で行うかについては、基本的には図３にて説明したものと基本的には同様である。しかし、図６（ｆ）および（ｇ）に示すように、投入信号の強度が閾値（０６０１）を超えた瞬間ｔ５から閾値判別回路には電流が流れるようになる。よって、時間ｔ５を境に、前記閾値判別回路を介してＤＣ−ＤＣコンバータに前記投入信号が到達するようになる。したがって、時間ｔ５を境に、ＤＣ−ＤＣコンバータからの負荷回路への電源供給がはじまる。このように、ＤＣ−ＤＣコンバータからの負荷回路への電源供給のタイミングが異なる点において、図３にて説明したものと異なる。
<実施形態２の効果>
【００３０】
本実施形態に記載の構成をとることによって、実施形態１に記載の突入電流抑制電子機器と同様の効果を発揮する突入電流抑制電子機器が実現する。
<<実施形態３>>
<実施形態３の概要>
【００３１】
本実施形態は、基本的のは実施形態１および２と同じであるが、本実施形態の突入電流抑制電子機器における突入電流抑制コンデンサおよび負荷回路の電源を、同じ電源から供給するものである。
<実施形態３の機能的構成>
【００３２】
本実施形態にかかる突入電流抑制電子機器の構成の一例を図７に示す。本実施形態は、基本的には実施形態１または２と同様である。ただし、本実施形態に係る突入電流抑制電子機器については、抑制電源供給スイッチＳ１（０７０１）を主な構成要件として含む点で、実施形態１および２に係る突入電流抑制電子機器と異なる。また、抑制電源供給スイッチＳ１制御スイッチＳＷ１Ｃ（０７０２）を有する点においても、実施形態１および２に係る突入電流抑制電子機器と異なる。また、電源制御回路（０７０９）が、投入信号とＳＷ２Ｃ制御信号のみならず、抑制電源供給スイッチＳ１制御スイッチＳＷ１Ｃ（０７０２）のオン・オフを制御するＳＷ１Ｃ制御信号をさらに出力する点においても、実施形態１および２に係る突入電流抑制電子機器と異なる。また、突入電流抑制コンデンサ（０７０３）への電源供給をバッテリーＡ（０７０４）が行う点においても、実施形態１および２に係る突入電流抑制電子機器と異なる。また、本実施形態における遅延回路は、実施形態２と同様に、ＲＣ回路（０７０６）であり、また、ＤＣ−ＤＣコンバータ（０７０７）が閾値判別回路（０７０８）を有する。なお、前記ＲＣ回路（０７０６）および閾値判別回路（０７０８）については、実施形態２に記載のＲＣ回路および閾値判別回路と同様である。
【００３３】
（抑制電源供給スイッチについての説明）抑制電源供給スイッチＳ１（０７０１）は、突入電流抑制コンデンサＣｃ（０７０３）と、突入電流抑制コンデンサに電流を供給する電源であるバッテリーＡ（０７０４）との間に配置される。また、電源制御回路は、供給スイッチＳ２（０７０５）がオンとなる際には抑制電源供給スイッチＳ１（０７０１）をオフとするように制御する。また、電源制御回路は、抑制電源供給スイッチＳ１（０７０１）がオンになるときは、供給スイッチＳ２（０７０５）がオフになるように制御する。
【００３４】
抑制電源供給スイッチＳ１（０７０１）のオン・オフの切り替えは、抑制電源供給スイッチＳ１制御スイッチＳＷ１Ｃ（０７０２）のオン・オフの動作に連動している。図７に示すように、電源制御回路がＳＷ１Ｃ制御信号を発信することで前記ＳＷ１Ｃ（０７０２）のゲートに電圧をかけると、前記ＳＷ１Ｃには、前記Ｓ１から接地電極側へと電流が流れる。前記電流により、分岐点Ｄ（０７１０）と分岐点Ｅ（０７１１）との間には、分岐点Ｄ側を高電位側とした電位差が生じる。前記電位差の発生により、前記Ｓ１（０７０１）のゲートに電圧がかかり、前記Ｓ１（０７０１）には、前記バッテリーＡ（０７０４）から前記突入電流抑制コンデンサ（０７０３）側に向かって電流が流れる。すなわち、Ｓ１がオン状態になる。このようにして、前記Ｓ１は、前記ＳＷ１Ｃ制御信号に従ってオン・オフの動作を行う。
<実施形態３の具体的使用例>
【００３５】
図８は、本実施形態に係る突入電流抑制電子機器の具体的使用例の一つを示す図である。この例における突入電流抑制電子機器の構成は、基本的な点においては、図７に示した構成と同様である。ただし、本使用例に係る突入電流抑制電子機器は、実施形態２における具体的使用例と同様に、ＤＣ−ＤＣコンバータ（０８０１）と負荷回路（０８０２）とを結ぶ回路上に直列にコイル（０８０３）とノイズ除去用コンデンサ（０８０４）を有する。また、供給スイッチＳ２（０８０５）と、分岐点Ｃ（０８０６）の間に、ツェナーダイオード（０８０７）をさらに有する。なお、前記コイル（０８０３）、前記ノイズ除去用コンデンサ（０８０４）、および、ツェナーダイオード（０８０７）は、実施形態１および２における具体的使用例に記載のものと同様の役割を果たす。
【００３６】
ここで、図８に示す回路において、電源制御装置が生成する各信号に対し、各構成要件がどのような動作をどのような順序で行うかについて、図９を用いて例示する。図８における回路において、電源制御装置が生成する各信号に対し、各構成要件がどのような動作をどのような順序で行うかについては、基本的には図６にて説明したものと基本的には同様である。しかし、図９（ａ）および（ｃ）に示すように、電源制御回路は、ＳＷ１Ｃ制御信号のＳＷ１Ｃへの出力を、時間ｔ１からｔ２の間に行い、その間ＳＷ２Ｃ制御信号はＳＷ２Ｃへは出力されない。よって、時間ｔ１からｔ２の間でＳ１はオン状態になっており、Ｓ２はオフになっている。逆に、電源制御回路は、ＳＷ２Ｃ制御信号のＳＷ２Ｃへの出力を、時間ｔ３からｔ４の間に行い、その間ＳＷ１Ｃ制御信号はＳＷ１Ｃへは出力されない。よって、時間ｔ３からｔ４の間でＳ２はオン状態になっており、Ｓ１はオフになっている。したがって、Ｃｃに電源が供給されている間、および、ＣｃがＣＬに電荷を供給している間に、誤ってバッテリーＡから負荷回路に電流が流れることはない。
<実施形態３における処理の流れ>
【００３７】
図１０に、本実施形態にかかる突入電流抑制電子機器の電源制御装置の処理の流れを示す。前記処理の流れは、抑制電源供給ステップ（Ｓ１００１）と、命令受付ステップ（Ｓ１００２）と、抑制電源供給停止ステップ（Ｓ１００３）と、投入信号出力ステップ（Ｓ１００４）と、供給ステップ（Ｓ１００５）と、から構成される。
【００３８】
まず、抑制電源供給ステップ（Ｓ１００１）において、電源制御装置は抑制電源供給スイッチをＯＮとする。次に、命令受付ステップ（Ｓ１００２）において、電源制御装置はユーザからの電源投入命令を受け付ける。次に、抑制電源供給停止ステップ（Ｓ１００３）において、電源制御装置は、前記電源投入命令に応じ抑制電源供給スイッチをＯＦＦとする。次に、投入信号出力ステップ（Ｓ１００４）において、電源制御装置は、前記電源投入命令に応じ投入信号をＤＣ−ＤＣコンバータに出力する。次に、供給ステップ（Ｓ１００５）において、電源制御装置は、投入信号に応じ供給スイッチをＯＮにする。
<実施形態３の効果>
【００３９】
本実施形態により、実施形態１および２よりも簡易な構造を持つ突入電流抑制電子機器が実現する。
【図面の簡単な説明】
【００４０】
【図１】実施形態１にかかる突入電流抑制電子機器の構成の一例を示す図
【図２】実施形態１に係る突入電流抑制電子機器の具体的使用例の一つを示す図
【図３】図２に示す回路において、電源制御装置が生成する各信号に対し、各構成要件がどのような動作をどのような順序で行うかについて示す図
【図４】実施形態２にかかる突入電流抑制電子機器の構成の一例を示す図
【図５】実施形態２に係る突入電流抑制電子機器の具体的使用例の一つを示す図
【図６】図５に示す回路において、電源制御装置が生成する各信号に対し、各構成要件がどのような動作をどのような順序で行うかについて示す図
【図７】実施形態３にかかる突入電流抑制電子機器の構成の一例を示す図
【図８】実施形態３に係る突入電流抑制電子機器の具体的使用例の一つを示す図
【図９】図８に示す回路において、電源制御装置が生成する各信号に対し、各構成要件がどのような動作をどのような順序で行うかについて示す図
【図１０】実施形態３にかかる突入電流抑制電子機器の電源制御装置の処理の流れを示す図
【図１１】特許文献１に係る突入電流防止回路を示す図
【図１２】特許文献２に係る突入電流防止回路を示す図
【符号の説明】
【００４１】
０８０１  ＤＣ−ＤＣコンバータ
０８０２  負荷回路
０８０３  コイル
０８０４  ノイズ除去用コンデンサ
０８０５  供給スイッチＳ２
０８０６  分岐点Ｃ
０８０７  ツェナーダイオード
【図１】
2009195037.tif 000003
【図２】
2009195037.tif 000004
【図３】
2009195037.tif 000005
【図４】
2009195037.tif 000006
【図５】
2009195037.tif 000007
【図６】
2009195037.tif 000008
【図７】
2009195037.tif 000009
【図８】
2009195037.tif 000010
【図９】
2009195037.tif 000011
【図１０】
2009195037.tif 000012
【図１１】
2009195037.tif 000013
【図１２】
2009195037.tif 000014